(57)【要約】      （修正有）【課題】中性域の電解水の殺菌効果によって、卵殻等の殺菌洗浄を行なう方法や装置を提供する。【解決手段】殻付生卵を洗浄および殺菌する方法であって、残留塩素濃度が１．５ｍｇ／Ｌ以上で、かつ、ｐＨが５．８〜８．６の概ね中性の電解水を用いて卵殻を洗浄および殺菌する。【選択図】なし【特許請求の範囲】
【請求項１】
殻付生卵を洗浄および殺菌する方法であって、
残留塩素濃度が１．５ｍｇ／Ｌ以上で、かつ、ｐＨが５．８〜８．６の概ね中性の電解水を用いて卵殻を洗浄および殺菌する卵殻の洗浄殺菌方法。
【請求項２】
請求項１において、前記電解水の温度が３０℃〜５０℃に設定されている卵殻の洗浄殺菌方法。
【請求項３】
請求項１もしくは２において、塩素を含んだ水を、互いに対向かつ近接する電極板の間を前記電極板の面に沿って通水することにより前記電解水を得る工程を更に備えた卵殻の洗浄殺菌方法。
【請求項４】
殻付生卵を洗浄および殺菌する洗浄殺菌システムであって、
原水を取り込んで該原水の残留塩素濃度を高めると共にｐＨが５．８〜８．６の概ね中性の電解水を生成する電解水生成装置と、
前記電解水を殻付生卵の通過経路において噴射して当該殻付生卵を洗浄・殺菌するための複数のノズルと、
前記ノズルから噴射された電解水が前記殻付生卵に接触する液相を形成する保留手段と、
前記保留手段を通過中ないし通過後の前記殻付生卵の表面に接触する洗浄用ブラシと、
前記殻付生卵を前記保留手段から排出するコンベヤとを備えた卵殻の洗浄殺菌システム。
【請求項５】
請求項４において、前記原水または電解水を昇温させる昇温装置を更に備えた卵殻の洗浄殺菌システム。
【請求項６】
請求項４もしくは５において、前記ノズルが前記保留手段の下流に配置された卵殻の洗浄殺菌システム。
【請求項７】
請求項４〜６のいずれか１項において、前記ノズルの下流に乾燥装置が更に設けられた卵殻の洗浄殺菌システム。
【請求項８】
請求項７において、前記乾燥装置には前記殻付生卵の表面に回転接触する乾燥用ブラシが設けられ、
前記乾燥用ブラシを洗浄・殺菌するために前記電解水を吐出するノズルを更に備えた卵殻の洗浄殺菌システム。
【発明の詳細な説明】
【技術分野】
【０００１】
本発明は、電解水を用いた卵殻の洗浄殺菌に関する。
【背景技術】
【０００２】
従来より、卵殻の洗浄方法としては、たとえば、下記の特許文献が知られている。
特開2005-027609 には、卵を酢酸にて洗浄したのち、有効塩素濃２００ppm 、pH５．５の弱酸性電解水にて洗浄する卵殻洗浄装置が開示されている。
特開2003-250379 には、卵殻を洗剤にて洗浄した後、オゾン水により殺菌する卵殻洗浄装置が開示されている。
特開2003-023907 には、卵殻に水を噴射する部分と、ブラシにて卵殻表面を綺麗にする洗浄部について記載されており、更に、電解水に関しては、強酸性電解水および強アルカリ電解水を使用することが開示されている。
特開2001-045904 には、卵殻洗浄装置の洗浄工程と殺菌工程を独立させた装置が開示されており、前記洗浄工程にてアルカリ性電解水を、前記殺菌工程にて酸性電解水を使用している。
特開2000-014269 には、一次洗浄としてアルカリ性電解水を使用し、二次洗浄として酸性電解水を使用する洗卵方法が開示されている。
特開平10-276605 には、殻付卵を強アルカリ性電解水に浸漬処理した後、強酸性電解水の噴霧( シャワー) による洗浄を行なう殺菌洗浄方法が開示されている。
【特許文献１】特開２００５−０２７６０９
【特許文献２】特開２００３−２５０３７９
【特許文献３】特開２００３−０２３９０７
【特許文献４】特開２００１−０４５９０４
【特許文献５】特開２０００−０１４２６９
【特許文献６】特開平１０−２７６６０５
【０００３】
鶏は卵を出す管と糞便を出す管が同じであるため、生み出されたばかりの鶏卵は汚れており、大腸菌等の細菌が付着している。そのため、パック詰めや割卵し液卵を作る前段階として卵殻の洗浄殺菌を行なう必要がある。
【０００４】
現在では卵殻洗浄装置による機械式洗浄が行なわれており、その殺菌剤として次亜塩素酸ナトリウムがよく使用されている。しかし、次亜塩素酸ナトリウムの使用は、人体への影響や排水基準を満たさないといった問題がある。
【０００５】
電解水はそのpHにより大きく分けられており、pH 2〜3 が“強酸性電解水”、pH 5〜6 が“微酸性電解水”、pH 11 〜13が“強アルカリ電解水”となっている。強酸性電解水と微酸性電解水には殺菌効果が、強アルカリ電解水には洗浄効果があり、さまざまな試験により、洗浄や殺菌の効果が確認されている。
【０００６】
しかし、アルカリの電解水は卵殻自体を溶解させるので、卵殻が薄くなる。したがって、卵殻が薄くなりすぎて、ひびが入るおそれがある。
一方、酸性の電解水は金属を腐食させるおそれがある。したがって、装置の劣化が生じ易い。
なお、オゾンで殺菌する方法も提案されている。しかし、オゾンは人体に有害である上、酸よりも腐食力が大きい。しかも、水の排水基準はpH 5.8〜8.6 となっているため、いずれの水もそのままでは排水できないという問題がある。
【０００７】
したがって、本発明の主目的は、中性域の電解水の殺菌効果によって、卵殻の殺菌洗浄を行なう方法を提供することである。
【０００８】
本発明の殻付生卵を洗浄および殺菌する方法は、残留塩素濃度が１．５ｍｇ／Ｌ以上（上限は特に限定されないが一般に３０ｍｇ／Ｌ以下ないし５０ｍｇ／Ｌ以下となるであろう。）で、かつ、pHが５．８〜８．６の概ね中性の電解水を用いて卵殻を洗浄および殺菌する。水道水を用いる場合、 pＨは６．８〜８．０程度となり、この場合、電解水が中性であることの利点が更に高まる。なお、多量の電解水を卵に噴射する場合や、電解水との接触時間を長くすれば、残留塩素濃度は１．５ｍｇ／Ｌでも可能であるが、２ｍｇ／Ｌ〜５ｍｇ／Ｌ程度の残留塩素濃度を持つ電解水が殺菌力および生成のコストのバランス上好ましい。
【０００９】
本方法では、中性域の電解水を用いるので、排水基準に合わせるための処理が必要なくなるという利点がある。また、電解水自体の特性として従来の強酸性・強アルカリ電解水の方式と違い、無添加無隔膜方式により生成し得るため、ランニングコストが安くなり、生成の手間が軽減される。
しかも、アルカリの電解水と異なり卵殻を溶解させたり、あるいは、酸性の電解水と異なり配管材等を腐食させるおそれもない。
また、オゾン水と異なり、人体に対し有害となるおそれもない。
【００１０】
本発明方法においては、pHが中性域を維持するため、無隔膜方式の電解を行うが、電解を行う前の水は水道水に準じたものを用いることができる。
基本的に何も添加されていない水道水を原水として電解に使用するが、生成される電解水の殺菌力を高めるため、pHが中性域となる範囲内で次亜塩素酸ナトリウム等の次亜塩素酸塩を電解前の原水に添加することも可能である。なお、次亜塩素酸ナトリウムなどを添加すると、pHはアルカリ寄りに移行する。
また、pHを中性域に保ちつつ、電解水の殺菌力を上げるため、次亜塩素酸塩と一緒に塩酸やクエン酸などの酸性薬剤を電解前の原水に添加することも可能である。
【００１１】
本発明において、電解水の温度は３０℃〜５０℃に設定するのが好ましく、３５℃〜４５℃に設定するのが更に好ましい。かかる温度範囲であれば、室内の温度も差程上昇しないので、作業環境も改善される。
卵には、周囲の温度が卵内部温（２６℃ぐらい）よりも低いと周囲の菌が卵の内部に入り易くなるといった問題点があるため、洗浄に使用する水温は“卵内部温＋１０℃以上”とするのが好ましい。一方、電解水は水温を上げると、その殺菌要因である残留塩素濃度が低下し、殺菌効率が落ちる。
そのため、電解水の水温は４０℃付近に設定するのが好ましい。
【００１２】
かかる方法を実施するシステムとしては、殻付生卵を洗浄および殺菌する洗浄殺菌システムであって、原水を取り込んで該原水の残留塩素濃度を高めると共にｐＨが５．８〜８．６の概ね中性の電解水を生成する電解水生成装置と、前記電解水を殻付生卵の通過経路において噴射して当該殻付生卵を洗浄・殺菌するための複数のノズルと、前記ノズルから噴射された電解水が前記殻付生卵に接触する液相を形成する保留手段と、前記保留手段を通過中ないし通過後の前記殻付生卵の表面に接触する洗浄用ブラシと、前記殻付生卵を前記保留手段から排出するコンベヤとを備えた卵殻の洗浄殺菌システムを採用することができる。
【００１３】
このシステムによれば、電解水が保留手段の液相内において殻の表面に浸透し、固化した糞便がふやけた状態になると共に、洗浄ブラシで、当該糞便が掻き削られる。その後、汚れていない電解水が卵殻に噴射され、卵殻全体の洗浄・殺菌がなされる。
ここで、電解水はクラスターが小さいので、汚れに浸透し易いから、前記汚れが落ち易い。
【００１４】
ここで、前記洗浄ブラシにより削り取ることができなかった糞便が卵殻表面に残る場合がある。この場合、後の乾燥を行っても糞便の部分については水分が残る。そのため、菌が増殖する心配がある。しかし、前記残った水分は電解水であるから、殺菌力を発揮するので、完全に乾燥していなくても滅菌効果が低下しにくい。
【発明を実施するための最良の形態】
【００１５】
以下、殺菌方法の説明に先立って電解水生成装置について説明する。
図１〜図３において、耐圧性を有する電解槽１は、収容空間Ｓを形成する。前記収容空間Ｓ内には電極ユニットＵが収容される。該電極ユニットＵは前記電解槽１内に概ね鉛直面に沿って、かつ、互いに平行に近接して配置された、たとえば５枚の電極板２1 〜２5 を含む。
【００１６】
前記電解槽１は第１および第２の耐圧板１ａ，１ｂと、該一対の耐圧板１ａ，１ｂの間に挟持された環状の第３耐圧板１ｃとを備え、前期環状の第３耐圧板１ｃの下端部に導入孔１４が上方に向かって吐出するように設けられている。前記導入孔１４は前記電解槽１の下部に設けられ、液体Ｌを前記電解槽１内に圧送する。
【００１７】
一方、前記耐圧板１ｃの上端部には導出孔１５が形成されている。前記導出孔１５は、前記液体Ｌを電解層１内で電気分解することにより生成された電解水Ｌ１を、前記電解槽１の上部から導出する。
【００１８】
図３の各電極板２1 〜２5 の少なくとも四隅には絶縁部材２０が配置されている。前記絶縁部材２０は各電極板２ｉ同士を絶縁すると共に各電極板２ｉの間の距離を保持する。
【００１９】
前記電極板２1 〜２5 の概ね中央の領域には、図２の前記各電極板２1 〜２5 のうちの同一極性となる電極板２1 〜２5 を水平方向に貫通すると共に当該電極板２1 〜２5 同士を互いに通電させる第１および第２の電極棒２１，２２が設けられている。これらの電極棒２１，２２には、前記電極板の間に直流電圧を印加する直流電源（図示せず）が接続されている。
なお、図２の電極板２2 ，２4 が第１の電極棒２１を介して第１の極性に設定され、電極板２1 ，２3 ，２5 が第２の電極棒２２を介して第２の極性に設定される。
【００２０】
前記電解槽１内には、図４に明示するように、複数列の第１流路１１と、第２および第３流路１２，１３とが形成されている。前記第１流路１１は前記電極ユニットＵにおける各電極板２i の間に当該電極板２i の面に沿って液体Ｌが下から上に流れる。前記第２流路および第３流路１２，１３は前記電極ユニットＵと前記電解槽１の壁面との間に形成され、前記電極ユニットの一方または他方の端の第１または第２端電極板２1 ，２5 に沿って液体Ｌが下から上に流れる。
【００２１】
前記電極ユニットＵにおける下端において、下方に向かって開口した前記第１流路１１の下端開口１１ａに前記導入孔１４の開口１４（図１）が対向している。これにより、前記導入孔１４からの前記液体Ｌが前記第１流路１１にスムースに流れ込む。
【００２２】
前記各電極板２i には、各々複数の貫通孔２３が形成されている。各貫通孔２３は互いに概ね合致している。したがって、前記第１流路１１において前記液体Ｌから生成されたガスと、前記液体Ｌとが前記各電極板２i に形成された複数の貫通孔２３で合流し、かつ、当該貫通孔２３を介して、前記第１流路１１から前記第２流路１２，１３に向かって流れ出る。
【００２３】
図２に示すように、前記電極ユニットＵと第１耐圧板１ａとの間にはスペーサ１ｓが配置されている。前記スペーサ１ｓは、前記電解槽１の収容空間Ｓの下部において前記第１端電極板２1 に近接して配置され、前記収容空間Ｓの上端部においては前記スペーサ１ｓが配置されておらず、これにより前記第２流路１２のうち上端部が下部に比べ広く形成されている。
【００２４】
つぎに、水道水からなる液体Ｌから電解水Ｌ１つまり殺菌力のある液体が生成される過程について説明する。
【００２５】
図２の導入孔１４から開口１４ａおよび下端開口１１ａを経て、液体Ｌが図４の第１流路１１に導入される。液体Ｌは第１流路１１内を下方から上方に流れる間に第１流路１１において電気分解される。この際、水素ガスや酸素ガスが生成されると共に、水道水中の塩素イオンＣｌ- と水Ｈ2 Ｏ等が所定の化学反応を呈し、殺菌力のある次亜塩素酸ＨＣｌＯや次亜塩素酸イオンＣｌＯ- が生成され、電解水Ｌ１が生成される。
【００２６】
前記ガスを含んだ電解水Ｌ１は、各第１流路１１を流れ貫通孔２３において合流すると共に、前記ガスが圧力の低い第２流路１２および１３に流れ出る可能性が高い。一方、電解水Ｌ１中の液体成分はガスよりも質量が大きいので、慣性により上方の第１流路１１に流れ込む確率が高い。そのため、上方の第１流路１１では気泡の存在率が第２流路１２および１３よりも低くなり、電解効率の低下が生じにくくなる。
【００２７】
前記電解水Ｌ１は第１流路１１中を更に上方に流れ、電気分解されながら、前記ＨＣｌＯおよびＣｌＯ- の濃度（以下、この濃度を「残留塩素濃度Ｄ」という。）が高くなる。前記電解水Ｌ１内のガスの存在率は更に高くなるが、ガスは上方の貫通孔２３から図２のスペーサ１ｓの上方の空間Ｓａに排出され、上方においても電解水Ｌ１中のガスの存在率が高くなるのが抑制される。そのため、電解効力の低下が生じにくくなる。
【００２８】
つぎに、前記電解水Ｌ１が殺菌力を持つことを明らかにするために、実施例を示す。
Ｃｌ- の濃度が０．２８５mg/Lの水道水を前記電解槽１内を循環させて、図５（ａ）の表に示す実施例１０１〜１０３の電解水Ｌ１を得た。
【００２９】
一方、図５（ｂ）の菌を培養した培養液に前記実施例１０１〜１０３の電解水Ｌ１を滴下し、所定時間（１０，２０，３０秒）接触させ、その後、約２日間培養し、菌の数を測定した。その結果を図５（ｃ）に示す。
【００３０】
図５（ｃ）から分かるように、大腸菌については、残留塩素濃度Ｄが１６ｍｇ／Ｌ以上であれば、完全に死滅することが分かる。前記大腸菌はサルモネラ菌と近似したものであることから、卵殻の殺菌に好適に使用できるものと推測される。なお、接触時間や電解水Ｌ１の相対的なボリュームから残留塩素濃度Ｄが１０ｍｇ／Ｌ以上であれば、極めて強い殺菌効果が期待でき、ｐＨによっては６〜７ｍｇ／Ｌ程度であってもよい。
【００３１】
また、残留塩素濃度Ｄが６．７mg/L程度であっても、一般細菌の消毒には十分に用いることができると思われる。
【００３２】
つぎに、電解水Ｌ１のpHと殺菌力との関係について考察する。
図６に示すように、ＣｌＯ- とＨＣｌＯの存在比率はpHの値に大きく依存する。前記ＨＣｌＯの殺菌力はＣｌＯ- の殺菌力に比べ著しく大きい。したがって、ＨＣｌＯの存在比率が大きいpH１〜pH７．７程度の領域の電解水Ｌ１を生成するのが好ましい。
特に、pH６．８〜pH７．７の電解水Ｌ１は水道水をそのまま用いて生成し得ると共に酸やアルカリによる弊害も生じない。
【００３３】
つぎに、本洗卵システムによる洗卵方法の一例について図７を用いて説明する。
洗浄槽（液相を形成する保留手段の一例）５０に投入された卵（殻付生卵）Ｅは、その洗浄槽５０内にて若干の汚れを取りつつ卵移送用のコンベア５１にて洗卵部５２へ運ばれていく。洗卵部５２ではシャワーノズル５３から洗浄液が噴射され、卵Ｅを洗浄湿潤させる。また、回転ブラシ５４が卵殻をブラッシングする事で、卵Ｅを洗浄する。その後、卵Ｅはシャワーノズル５５にて卵殻が最終洗浄され、卵乾燥ブロワによる乾燥工程を経て、パック詰めや割卵工程へと移されていく。
【００３４】
通常、シャワーノズル５３および５５からは、洗浄殺菌を目的として次亜塩素酸ナトリウムを希釈した溶液が噴射されていることが多い。このシャワーノズル５３に前記電解水生成装置の導出孔１５（図２）から電解水を供給し、略中性域（ｐＨ５．８〜８．６）の電解水Ｌ１で卵Ｅを洗浄・殺菌し、シャワーノズル５５からは水道水が噴射されて洗浄される。
【００３５】
なお、シャワーノズル５３から噴射された電解水は、洗浄槽５０に流れ込むような構造としている。これにより、卵殻に当たらず使用されなかった電解水も、洗浄槽内の洗浄殺菌に使用することができる。
【００３６】
前記洗浄槽５０は、電解水が卵Ｅに接触する液槽を形成する保留手段であればよく、たとえば、図８Ａの実施例に示すように、卵Ｅの下半分が電解水に接触するものであってもよい。この場合も、液槽を通過中に卵Ｅが回転するので、卵Ｅ全体に電解水が浸るからである。
【００３７】
また、保留手段は、樋状に形成されていてもよい。この樋状の保留手段は卵Ｅが搬送される溝状の経路を形成する。また、樋は一部もしくは全部が上流に向かって斜め上方に傾斜していてもよい。更に、この場合、搬送経路の途中に卵Ｅの下半分が浸るような貯留槽を設けるのが好ましい。
【００３８】
つぎに、他の卵殻洗浄殺菌システムについて説明する。
図８Ａの実施例においては、前記原水（水道水）を昇温させる昇温装置１００を備えている。
電解水生成装置２００は、前記昇温した原水（温水）を取り込んで該原水の残留塩素濃度を高めると共にｐＨが概ね中性の電解水を生成する。前記電解水は複数のノズル５６に供給される。ノズル５６は前記電解水を卵Ｅが通過する上方から当該卵Ｅの通過経路において噴射して当該卵Ｅを洗浄・殺菌する。
洗浄槽５０は前記ノズル５６から噴射された電解水を一時的に貯留する。
洗浄ブラシ５４Ａは前記洗浄槽５０を通過中ないし通過直後の前記卵Ｅの表面に回転接触する。
コンベヤ５１は前記卵Ｅを前記洗浄槽５０に供給し、更に、洗浄槽５０から排出する。
【００３９】
図８Ｃは、卵殻洗浄殺菌システムの変形例を示す。
本システムではシステムでは、洗浄槽５０の上流において温水を卵Ｅに向かって噴射する温水シャワー５５Ａを備える。また、洗浄槽５０の下流に乾燥用のブロワ５９が設けられている。ブロワ５９の下方には、洗卵後の卵Ｅに回転接触する乾燥用ブラシ５４Ｂが設けられている。この場合、乾燥用ブラシ５４Ｂを殺菌するために乾燥用ブラシ５４Ｂに向かって電解水を噴射するノズル５６Ａが設けられていてもよい。
【００４０】
つぎに、前記図８Ａのシステムを用いた場合の洗浄殺菌方法の実施例を図８Ｂの比較例のシステムを用いた場合と比較しながら説明する。
実施例第１群〜第５群：
図８Ａのシステムを用い、約４０℃弱の電解水をノズル５６から噴射して洗卵Ｅを行った。
比較例第１群〜第５群：
図８Ｂのシステムを用い、洗浄槽の上流のノズルから温水（５５℃）を噴射し、洗浄槽の下流のノズルから次亜塩素酸ナトリウムの溶液（５５℃）を噴射して洗卵を行った。
比較例第１４群，第１５群：
図８Ｂのシステムを用い、５５℃の温水を洗浄槽の前後のノズルから噴射して洗卵を行った。
【００４１】
前記実施例および比較例について、残留塩素濃度、洗浄後の一般細菌の菌数および一週間後の菌数を測定した結果を図９の表に示す。
検体の採取方法について説明すると、ある程度の数を洗卵し、洗卵の開始直後、終業時および中間時の３回に各々１０個採取し、それらについて菌数を測定し、その菌数の平均値を図９の表に示した。
また、前記の採取とは別に中間時に検体１０個を採取し、これを一週間保存した後に菌数を測定し、その平均値を図９の表に示した。
【００４２】
衛生上、卵殻は完全な無菌である必要はなく、所定期間経過後に、所定量以下の菌数であれば、十分に衛生的である。一方、卵殻には糞便が固く付着していることがあり、固化便には多量の菌が含まれており、これが除去できない場合や、固化便中の菌を殺菌できない場合には、多量の菌が残ったり、あるいは、増殖する。
【００４３】
実施例第１群〜第５群の１７０個の卵Ｅは、水温３５℃〜３８℃、 pＨ６．９〜７．４、残留塩素濃度が２．０９〜３．２２の電解水で洗浄殺菌されており、洗浄後および一週間の保存後の双方において、バラツキの小さい、かつ、良好な結果が得られている。これは電解水のクラスターが小さく、かつ、固化便内においても殺菌力を発揮したためと推測される。
【００４４】
比較例第１群〜第５群の１７０個の卵Ｅは、結果のバラツキが大きい。その理由を推測すると、次亜塩素酸ナトリウムは、殺菌力があるものの、粘性が大きいのでクラスターが大きく、そのため、固化便内に浸透しにくいためであると考えられる。
【００４５】
比較例第１４群および第１５群の８０個の卵Ｅは、洗浄直後の成績は良好であるが、一週間保存後に菌が増殖し易い。その理由を推測すると、クラスターが差程大きくなく、かつ、高温（５５℃）で洗浄するので、汚れが落ち易い一方で、殺菌作用を有していないので、残存した固化便内で一週間後に菌が増殖するものと思われる。
【００４６】
本実施例に対し、たとえば、以下のような、変形例が考えられる。
図７のシャワーノズル５３からだけではなく、シャワーノズル５５からも電解水Ｌ１を噴射し、卵殻の洗浄殺菌を行なう（電解水自体は安全であるので、それを卵殻にかけた後、乾燥させ、割卵工程に持っていったとしても問題がないと推測される）。
卵乾燥用ブロワを用いることなく、自然乾燥に任せる。
洗卵部を１つとしたが、２つ以上に増やし、洗浄殺菌効果を上げてもよい。
卵Ｅを回転していないブラシの間を通してもよい。
【産業上の利用可能性】
【００４７】
本発明に係る電解水は、卵殻以外に種々の殺菌洗浄に用いることができる。
【図面の簡単な説明】
【００４８】
【図１】本発明の電解水生成装置の一例を示す概略分解斜視図である。
【図２】同縦断面図である。
【図３】電極ユニットの概略分解斜視図である。
【図４】槽内の拡大断面図である。
【図５】残留塩素濃度と殺菌力との関係を示す図表である。
【図６】pHの変化によるＨＣｌＯおよびＣｌＯ- の存在比率を示す特性図である。
【図７】卵殻の洗浄装置を示す概略構成図である。
【図８】洗浄殺菌システムの実施例および比較例を示す概略構成図である。
【図９】洗浄殺菌方法の実施例および比較例を示す図表である。
【符号の説明】
【００４９】
５０：洗浄槽
５１：コンベヤ
５３，５６：ノズル
５４，５４Ａ：洗浄ブラシ
５９：乾燥用ブラシ
１００：昇温装置
２００：電解水生成装置
【図１】
2010075193.tif 000002
【図２】
2010075193.tif 000003
【図３】
2010075193.tif 000004
【図４】
2010075193.tif 000005
【図５】
2010075193.tif 000006
【図７】
2010075193.tif 000007
【図８】
2010075193.tif 000008
【図９】
2010075193.tif 000009
【図６】
2010075193.tif 000010
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
殻付生卵を洗浄および殺菌する洗浄殺菌システムであって、
原水を取り込んで該原水の残留塩素濃度を高めると共にｐＨが５．８〜８．６の概ね中性の電解水を生成する電解水生成装置と、
前記電解水を殻付生卵の通過経路において噴射して当該殻付生卵を洗浄・殺菌するための複数のノズルと、
前記ノズルから噴射された電解水が前記殻付生卵に接触する液相を形成する保留手段と、
前記保留手段を通過中ないし通過後の前記殻付生卵の表面に接触する洗浄用ブラシと、
前記殻付生卵を前記保留手段から排出するコンベヤとを備えた卵殻の洗浄殺菌システム。
【請求項２】
請求項１において、前記原水または電解水を昇温させる昇温装置を更に備えた卵殻の洗浄殺菌システム。
【請求項３】
請求項２において、前記ノズルが前記保留手段の下流に配置された卵殻の洗浄殺菌システム。
【請求項４】
請求項３において、前記ノズルの下流に乾燥装置が更に設けられた卵殻の洗浄殺菌システム。
【請求項５】
請求項４において、前記乾燥装置には前記殻付生卵の表面に回転接触する乾燥用ブラシが設けられ、
前記乾燥用ブラシを洗浄・殺菌するために前記電解水を吐出するノズルを更に備えた卵殻の洗浄殺菌システム。